(57)【特許請求の範囲】
【請求項１】
店舗で扱う複数の商品の売上情報と共に該商品の売上情報入力を担当する複数の担当者情報を担当者名が表示されたタッチパネルキーのうち該当する担当者名に指触することにより選択して入力する担当者タッチパネルキーを含むＰＯＳ端末を備えるＰＯＳシステムにおいて、
前記ＰＯＳ端末は、前記担当者の前記店舗への出退勤を管理するタイムカードデータが入力される担当者出退管理部を更に備え、
前記担当者出退管理部のデータに基づいて出勤した担当者を優先的に前記担当者タッチパネルキーに表示させることを特徴とするＰＯＳシステム。
【請求項２】
店舗で扱う複数の商品の売上情報と共に該商品の売上情報入力を担当する複数の担当者情報を担当者名が表示されたタッチパネルキーのうち該当する担当者名に指触することにより選択して入力する担当者タッチパネルキーを含むＰＯＳ端末を備えるＰＯＳシステムにおいて、
前記ＰＯＳ端末は、前記複数の担当者のうち出勤予定担当者情報を記憶する担当者出勤予定データメモリを更に備え、
該担当者出勤予定データメモリからの出勤予定担当者データに基づき、前記担当者タッチパネルキーに出勤予定の担当者を優先的に表示させることを特徴とするＰＯＳシステム。
【請求項３】
前記担当者タッチパネルキーには、前記出勤した担当者情報が発生する毎に当該出勤した担当者名を順次表示することを特徴とする請求項１に記載のＰＯＳシステム。
【請求項４】
前記担当者タッチパネルキーには、前記表示されている担当者のうちの担当者が退出する毎に、該退出した担当者名の表示を順次消去することを特徴とする請求項１に記載のＰＯＳシステム。
【発明の詳細な説明】
【０００１】
【発明の属する技術分野】
本発明はＰＯＳシステムに関し、特に店舗の商品の売上情報と共に担当者情報を担当者タッチパネルキーにより効率的に入力するＰＯＳシステムに関する。
【０００２】
例えば、ファーストフード店等の店舗においては、ＰＯＳシステムが広く導入されており、売上商品情報はＰＯＳ端末に設置されたキーボードやタッチパネルキーを店員であるオペレータが操作することによりセンター側のＰＯＳ本体に送出され、センター側で商品売上情報が逐一管理されている。このとき、商品の販売を担当した担当者情報もＰＯＳシステムでは管理対象になることが多く、商品情報とともに担当者情報もＰＯＳ端末側から入力される。
【０００３】
【従来の技術】
従来のこの種のＰＯＳシステムでは、操作性を配慮して、数字データ入力のためのキーボードとともに販売対象商品をタッチパネル上に表示した売上項目タッチパネルキーが配設されている。また、担当者情報を入力するためにも、担当者名がマトリクスキー上に表形式で表示され、該当担当者名が表示されているキーを指触することにより、担当者情報がＰＯＳ端末から入力される。
【０００４】
図３には、従来のＰＯＳシステムのＰＯＳ端末装置の構成例が示されている。ＰＯＳ端末はＣＰＵ１を介してセンター側のＰＯＳ本体と情報の授受が行われる。キーボード２は、各種数字情報、記号情報等をキー入力するためのもので、入力情報は、ＣＰＵ１に送出される。売上項目タッチパネルキー３は、表面に売上商品名がマトリクスキーのそれぞれに表示され、売り上げられた商品のキーを指触することにより売上商品情報がＣＰＵ１に送出される。担当者タッチパネルキー４は、表面に当該店舗で操作を行う可能性のある担当者名がマトリクス状に配列されたキーのそれぞれに表示されている。この担当者名は、担当者登録メモリ７に予め登録され、登録されている担当者名情報がＣＰＵ１を介して読み出されて担当者タッチパネルキー４に表示される。ＣＰＵ１で処理されたＰＯＳ情報は、表示装置に表示され、または、プリンタに出力されて印刷出力される。
【０００５】
以上のように従来のＰＯＳシステムの担当者表示では、店舗で操作者としてＰＯＳ端末を扱う可能性のある担当者名を予め登録しておき、登録されている担当者名が担当者タッチパネルキーに表示されている。
【０００６】
しかしながら、担当者数が少ない場合には問題は生じないが、大店舗の場合には担当者数が多数となり、アルバイトやパートの人も含めるとその数は非常に多くなる場合がある。通常、担当者タッチパネルキーの各キーは、担当者名を表示する必要があるため、キーボードのキーと比較すると比較的大面積となり、一枚の画面に表示される担当者数には制約が生じ、多数の担当者をすべて表示するには、複数枚の画面でカバーしなければならない。したがって、実際にＰＯＳ端末を操作する頻度の高い担当者は限定されているにもかかわらず、登録されているすべての担当者名を複数枚の画面にわたって表示しなければならず、最初に画面に表示されていない担当者が操作する場合には操作性が悪化する。このような問題は、ＰＯＳシステムに限らず、担当者名をタッチパネルキーに表示するシステムに共通の問題である。
【０００７】
そこで、本発明の目的は、ＰＯＳ端末を操作する複数の担当者名の担当者タッチパネルキーへの表示を効率的に行い、ＰＯＳ端末の操作性を改善したＰＯＳシステムを提供することにある。
【０００８】
【課題を解決するための手段】
前述の課題を解決するために本発明のＰＯＳシステムは、店舗で扱う複数の商品の売上情報と共に該商品の売上情報入力を担当する複数の担当者情報を担当者名が表示されたタッチパネルキーのうち該当する担当者名に指触することにより選択して入力する担当者タッチパネルキーを含むＰＯＳ端末を備えるＰＯＳシステムにおいて、
前記ＰＯＳ端末は、前記担当者の前記店舗への出退勤を管理するタイムカードデータが入力される担当者出退管理部を更に備え、
前記担当者出退管理部のデータに基づいて出勤した担当者を優先的に前記担当者タッチパネルキーに表示させるように構成されている。
【０００９】
また、本発明の他の実施形態によるＰＯＳシステムは、店舗で扱う複数の商品の売上情報と共に該商品の売上情報入力を担当する複数の担当者情報を担当者名が表示されたタッチパネルキーのうち該当する担当者名に指触することにより選択して入力する担当者タッチパネルキーを含むＰＯＳ端末を備えるＰＯＳシステムにおいて、
前記ＰＯＳ端末は、前記複数の担当者のうち出勤予定担当者情報を記憶する担当者出勤予定データメモリを更に備え、
該担当者出勤予定データメモリからの出勤予定担当者データに基づき前記担当者タッチパネルキーに出勤予定の担当者を優先的に表示するように構成されている。
【００１０】
ここで、前記担当者タッチパネルキーには、前記出勤した担当者情報が発生する毎に当該出勤した担当者名を順次表示し、前記表示されている担当者のうちの担当者が退出する毎に、該退出した担当者名の表示を順次消去する。
【００１１】
【発明の実施の形態】
図１は本発明によるＰＯＳシステムの一実施の形態を示す構成ブロック図である。図１において、図３と同一符号が付されている構成部は基本的に同一機能を有する。キーボード２からのキー入力情報、売上項目タッチパネルキー３からの売上項目情報及び担当者タッチパネルキー４からの担当者情報は、ＣＰＵ１に入力され、ＰＯＳ本体に送出される。ＣＰＵ１で所定の処理が施されたＰＯＳ情報は、表示装置やプリンタに出力される。
【００１２】
本実施形態では、担当者出退管理部５により出勤してきた担当者や退出した担当者名が管理される。この管理は、タイムカードから送出されるタイムカード情報に基づいて行うことができる。ＣＰＵ１は、担当者出退管理部５から送出された担当者の出勤情報や退出情報に基づいて、例えば出勤した人を優先的に、また、その中でも出勤時間の早い人順に優先順位を与えて担当者タッチパネルキーに表示させる。すなわち、担当者タッチパネルキー４の最初の画面に上記優先された担当者名が表示される。また、出勤してきた担当者名を順次担当者タッチパネルキー４に表示させても良いし、退出した担当者名は順次消去することもできる。ＰＯＳ端末を操作する担当者は出勤している人だけであり、現時点で未だ出勤していない人はＰＯＳ端末を操作しないので、担当者タッチパネルキー４に表示させる必要がなく、本実施形態によれば、通常、最初の画面のみで必要な担当者名を表示させることができ、操作性が改善される。
【００１３】
図２は本発明の他の実施形態の構成ブロック図である。本実施形態では、図１に示す担当者出退管理部５に代えて担当者の出勤予定データを記憶する担当者出勤予定データメモリ６を設けている。ＰＯＳ端末を操作する人は、出勤してきた人だけであるから、出勤予定のない欠勤者を担当者として担当者タッチパネルキー４に表示させる必要はなく、出勤予定者のみを優先的に表示させれば効率的な操作が可能となる。この出勤予定データは、予めキー操作により登録しておいても良いし、他のデータバンクに格納されているデータを使っても良い。
【００１４】
【発明の効果】
以上説明したように、本発明のＰＯＳシステムによれば、出勤している人、または出勤予定者のように基本的に重要な担当者名を優先的に担当者タッチパネルキーに表示させ、出勤した人のデータが入力される毎に当該出勤者を担当者として順次表示させ、退出者の表示も順次消去することができるので、パネルキーに表示される担当者の優先表示が可能となり、操作がきわめて容易となり作業性が向上する。
【図面の簡単な説明】
【図１】  本発明によるＰＯＳシステムの一実施の形態を示すＰＯＳ端末への応用例の構成ブロック図である。
【図２】  本発明によるＰＯＳシステムの他の実施の形態を示すＰＯＳ端末への応用例の構成ブロック図である。
【図３】  従来のＰＯＳシステムにおけるＰＯＳ端末装置の構成例を示す図である。
【符号の説明】
１      ＣＰＵ
２      キーボード
３      売上項目タッチパネルキー
４      担当者タッチパネルキー
５      担当者出退管理部
６      担当者出勤予定データメモリ
７      担当者登録メモリ
【図１】
0003784465.tif 000002
【図２】
0003784465.tif 000003
【図３】
0003784465.tif 000004